(57)【要約】      （修正有）【課題】調整内容や音響特性に関する専門的な知識を必要とせずに、音響信号を適切に調整する方法及び処理装置を提供する。【解決手段】音響処理装置１００は、音響信号ｘ［ｎ］が表す演奏音に対応する楽器の種類Ａ［ｎ］を特定する特定部３２と、特定部３２が特定した楽器の種類Ａ［ｎ］に応じて目標特性に基づいて音響信号ｘ［ｎ］を調整する調整部３４とを具備する。【選択図】図１
2017139592.tif 000002
【特許請求の範囲】
【請求項１】
コンピュータが、
音響信号が表す演奏音に対応する楽器の種類を特定し、
前記特定した楽器の種類に応じて前記音響信号を調整する
音響処理方法。
【請求項２】
前記音響信号の調整においては、前記特定した楽器の種類に対応する目標特性に前記音響信号の周波数特性を近付ける第１処理を、前記音響信号に対して実行する
請求項１の音響処理方法。
【請求項３】
前記楽器の種類の特定においては、第１音響信号および第２音響信号の各々について楽器の種類を特定し、
前記音響信号の調整においては、前記特定した楽器の種類に対応する周波数帯域が前記第１音響信号と前記第２音響信号との間で重なる場合に、前記第１音響信号および前記第２音響信号の一方における当該周波数帯域の音響成分を他方に対して相対的に抑制する第２処理を、前記音響信号に対して実行する
請求項１または請求項２の音響処理方法。
【請求項４】
前記楽器の種類の特定においては、第１音響信号および第２音響信号の各々について楽器の種類を特定し、
前記音響信号の調整においては、前記特定した楽器の種類に対応する周波数帯域が前記第１音響信号と前記第２音響信号との間で重なる場合に、前記第１音響信号および前記第２音響信号の一方において時間軸上で他方と重なる音響成分を相対的に抑制する第３処理を、前記音響信号に対して実行する
請求項１または請求項２の音響処理方法。
【請求項５】
前記音響信号の調整においては、前記楽器の種類毎に優先度を指定する優先度情報を参照し、前記第１音響信号および前記第２音響信号のうち、前記特定した楽器の種類について前記優先度情報が指定する優先度が低い方を他方に対して相対的に抑制する
請求項３または請求項４の音響処理方法。
【請求項６】
前記楽器の種類の特定においては、音響信号の解析により前記楽器の種類を特定する
請求項１から請求項５の何れかの音響処理方法。
【請求項７】
前記音響信号の調整においては、前記楽器の種類を特定した結果の信頼度に応じて前記音響信号の調整を制御する
請求項６の音響処理方法。
【請求項８】
音響信号が表す演奏音に対応する楽器の種類を特定する特定部と、
前記特定部が特定した楽器の種類に応じて前記音響信号を調整する調整部と
を具備する音響処理装置。
【発明の詳細な説明】
【技術分野】
【０００１】
本発明は、音響信号を処理する技術に関する。
【背景技術】
【０００２】
音響信号を処理する各種の技術が従来から提案されている。例えば特許文献１には、アルゴリズムを選択するパラメータやオペレータ（ＦＭ合成器）の波形を選択するパラメータ等を利用者が指定することで音響信号を処理する技術が開示されている。
【先行技術文献】
【特許文献】
【０００３】
【特許文献１】特開２０１１−１９７４２９号公報
【発明の概要】
【発明が解決しようとする課題】
【０００４】
しかし、特許文献１の技術では、音響信号を処理するためのパラメータを指定するにあたり調整内容や音響特性に関する専門的な知識や経験が利用者に必要であり、専門的な知識や経験がない利用者にとっては音響信号を適切に処理することが困難であった。以上の事情を考慮して、本発明は、調整内容や音響特性に関する専門的な知識を必要とせずに、音響信号を適切に調整することを目的とする。
【課題を解決するための手段】
【０００５】
以上の課題を解決するために、本発明の音響処理方法は、コンピュータが、音響信号が表す演奏音に対応する楽器の種類を特定し、特定した楽器の種類に応じて音響信号を調整する。以上の方法では、特定した楽器の種類に応じて音響信号が調整される。したがって、音響信号に対する調整内容を利用者が指示する方法と比較して、調整内容や音響特性に関する専門的な知識を必要とせずに、音響信号を適切に調整することが可能である。
【０００６】
本発明の好適な態様において、音響信号の調整では、特定した楽器の種類に対応する目標特性に音響信号の周波数特性を近付ける第１処理を、音響信号に対して実行する。以上の方法では、音響信号の周波数特性が目標特性に近付くように（両者間の相違に応じて）各帯域通過フィルタの特性を制御する。したがって、音響信号を処理するフィルタの特性が固定された方法（音響信号の周波数特性に依存しない方法）と比較して、音響信号が既に目標特性に近い場合は、音響信号を調整する度合が小さくなる。つまり、本来の音響信号の周波数特性を生かしつつ目標特性に音響信号を近付けることが可能である。
【０００７】
本発明の好適な態様において、楽器の種類の特定では、第１音響信号および第２音響信号の各々について楽器の種類を特定し、音響信号の調整では、特定した楽器の種類に対応する周波数帯域が第１音響信号と第２音響信号との間で重なる場合に、第１音響信号および第２音響信号の一方における当該周波数帯域の音響成分を他方に対して相対的に抑制する第２処理を、音響信号に対して実行する。以上の方法では、特定した楽器の種類に対応する周波数帯域が第１音響信号と第２音響信号との間で重なる場合に、第１音響信号および第２音響信号の一方における当該周波数帯域の音響成分が他方に対して相対的に抑制される。したがって、相対的に抑制された音響成分に対応する演奏音に対して他方の音響成分に対応する演奏音が聞き取りやすくなるという利点がある。
【０００８】
本発明の好適な態様において、楽器の種類の特定では、第１音響信号および第２音響信号の各々について楽器の種類を特定し、音響信号の調整では、特定した楽器の種類に対応する周波数帯域が第１音響信号と第２音響信号との間で重なる場合に、第１音響信号および第２音響信号の一方において時間軸上で他方と重なる音響成分を相対的に抑制する第３処理を、音響信号に対して実行する。以上の方法では、特定した楽器の種類に対応する周波数帯域が第１音響信号と第２音響信号との間で重なる場合に、第１音響信号および第２音響信号の一方において時間軸上で他方と重なる音響成分が相対的に抑制される。したがって、相対的に抑制された音響成分に対応する演奏音に対して他方の音響成分に対応する演奏音が聞き取りやすくなるという利点がある。
【０００９】
本発明の好適な態様において、音響信号の調整では、楽器の種類毎に優先度を指定する優先度情報を参照し、第１音響信号および第２音響信号のうち、特定した楽器の種類について優先度情報が指定する優先度が低い方を他方に対して相対的に抑制する。以上の方法では、第１音響信号および第２音響信号のうち、特定した楽器の種類について優先度情報が指定する優先度が低い方が他方に対して相対的に抑制される。したがって、優先度情報を参照せずに第１音響信号および第２音響信号の一方における音響成分が他方に対して相対的に抑制される方法と比較して、音響信号の調整をより適切に行うことが可能である。
【００１０】
本発明の好適な態様において、楽器の種類の特定では、音響信号の解析により楽器の種類を特定する。以上の方法では、音響信号の解析により楽器の種類が特定されるから、例えば利用者からの指示に応じて楽器の種類を特定する方法と比較して、利用者の負担を軽減することが可能である。また、利用者が演奏音に対応する楽器の種類を認識していないときでも、楽器の種類を特定することができるという利点がある。
【００１１】
本発明の好適な態様において、音響信号の調整では、楽器の種類を特定した結果の信頼度に応じて音響信号の調整を制御する。以上の方法では、楽器の種類を特定した結果の信頼度に応じて音響信号の調整が抑制される。したがって、例えば、楽器の種類の信頼度が高い場合にはその楽器に好適な音響特性の付加を優先させる一方、楽器の種類の信頼度が低い場合（楽器の種類の特定結果が過誤である可能性が想定される場合）には、その楽器について用意された音響特性が音響信号について妥当であるとは限らないから当該音響特性の付加を抑制する、というように、楽器の種類の特定結果に応じた適切な調整を実現することが可能である。
【００１２】
本発明の好適な態様に係る音響処理装置は、音響信号が表す演奏音に対応する楽器の種類を特定する特定部と、特定部が特定した楽器の種類に応じて音響信号を調整する調整部とを具備する。以上の構成では、特定部が特定した楽器の種類に応じて音響信号が調整される。したがって、音響信号に対する調整内容を利用者が指示する構成と比較して、調整内容や音響特性に関する専門的な知識を必要とせずに、音響信号を適切に調整することが可能である。
【図面の簡単な説明】
【００１３】
【図１】本発明の第１実施形態に係る音響処理装置の構成図である。
【図２】第１処理の説明図である。
【図３】第１処理部の構成図である。
【図４】特性付与部の処理の説明図である。
【図５】音響処置装置全体の処理のフローチャートである。
【図６】本発明の第２実施形態に係る音響処理装置の構成図である。
【図７】帯域情報の説明図である。
【図８】優先度情報の説明図である。
【図９】第２処理部の構成図である。
【図１０】第２処理の説明図である。
【図１１】音響処置装置全体の処理のフローチャートである。
【図１２】本発明の第３実施形態に係る音響処理装置の構成図である。
【図１３】優先度情報の説明図である。
【図１４】第３処理の説明図である。
【図１５】音響処置装置全体の処理のフローチャートである。
【発明を実施するための形態】
【００１４】
＜第１実施形態＞
図１は、本発明の第１実施形態に係る音響処理装置１００の構成図である。図１に例示される通り、第１実施形態の音響処理装置１００には複数（Ｎ個）の信号供給装置１２［ｎ］（ｎ＝１〜Ｎ）と放音装置１４とが接続される。信号供給装置１２［ｎ］は、音響信号ｘ［ｎ］を音響処理装置１００に供給する。音響信号ｘ［ｎ］は、楽器１０［ｎ］の演奏音の波形を示す時間領域信号である。具体的には、信号供給装置１２は、楽器１０［ｎ］の演奏音を収音して音響信号ｘ［ｎ］を生成する収音装置である。なお、例えば弦等の発音源の振動を検出するピックアップを信号供給装置１２として内蔵した電気楽器を楽器１０［ｎ］として利用することも可能である。また、可搬型または内蔵型の記録媒体から楽器１０［ｎ］の演奏音に対応する音響信号ｘ［ｎ］を取得して音響処理装置１００に供給する再生装置や、通信網から楽器１０［ｎ］の演奏音に対応する音響信号ｘ［ｎ］を受信して音響処理装置１００に供給する通信装置を信号供給装置１２として採用することも可能である。なお、音響信号ｘ［ｎ］をアナログからデジタルに変換するＡ/Ｄ変換器の図示は便宜的に省略した。
【００１５】
第１実施形態の音響処理装置１００は、信号供給装置１２［ｎ］から供給される複数の音響信号ｘ［ｎ］の各々に対する調整で生成された音響信号ｙ［ｎ］を混合して音響信号ｚを生成する。放音装置１４（例えばスピーカやヘッドホン）は、音響処理装置１００が生成した音響信号ｚに応じた音波を放射する。なお、音響信号ｚをデジタルからアナログに変換するＤ/Ａ変換器や音響信号ｚを増幅する増幅器等の図示は便宜的に省略した。なお、第１実施形態では音響信号ｚを放音装置１４に供給して再生する場合を例示するが、記憶装置２４に音響信号ｚを格納することや音響処理装置１００とは別個の再生装置等に音響信号ｚを送信することも可能である。
【００１６】
図１に例示される通り、音響処理装置１００は、演算処理装置２２と記憶装置２４とを具備するコンピュータシステムで実現される。記憶装置２４は、演算処理装置２２が実行するプログラムや演算処理装置２２が使用する各種のデータを記憶する。半導体記録媒体や磁気記録媒体等の公知の記録媒体または複数種の記録媒体の組合せが記憶装置２４として任意に採用され得る。音響信号ｘ［ｎ］を記憶装置２４に記憶した構成（したがって信号供給装置１２［ｎ］は省略される）も好適である。
【００１７】
第１実施形態の記憶装置２４は、相異なる楽器の種類に対応する複数の目標特性Ｒを記憶する。楽器の種類は、例えば発音源の名称（具体的には楽器名や演奏パート名）である。第１実施形態では、ギターやバスドラム等の楽器名を楽器の種類として例示する。第１実施形態の目標特性Ｒは、周波数特性である。具体的には、楽器の任意の１種類に対応する目標特性Ｒは、その種類の楽器の演奏音の特性として目標となる好適な音響特性である。目標特性Ｒの生成方法は任意であり、例えば、音楽ＣＤ等の記録媒体に記録された既存の音響データを解析することで目標特性Ｒが生成される。また、音響技術者等の制作者が手動で目標特性Ｒを生成することも可能である。
【００１８】
演算処理装置２２は、記憶装置２４に記憶されたプログラムを実行することで、複数の音響信号ｘ［ｎ］の各々から音響信号ｚを生成するための複数の機能（特定部３２，調整部３４）を実現する。なお、演算処理装置２２の各機能を複数の装置に分散した構成や、専用の電子回路（例えばＤＳＰ）が演算処理装置２２の一部の機能を実現する構成も採用され得る。
【００１９】
特定部３２は、信号供給装置１２［ｎ］から供給される複数の音響信号ｘ［ｎ］の各々を解析することで、音響信号ｘ［ｎ］が表す演奏音に対応する楽器の種類Ａ［ｎ］を特定する。具体的には、特定部３２は、音響信号ｘ［ｎ］から解析される特徴量を、相異なる楽器の種類について事前に用意された参照用の複数の特徴量の各々と比較し、参照用の複数の特徴量のうち音響信号ｘ［ｎ］の特徴量に類似する特徴量に対応する楽器の種類を楽器１０［ｎ］の種類Ａ［ｎ］として特定する。種類Ａ［ｎ］の特定に利用される特徴量としては、例えば楽器の演奏音の音色の特性を表すＭＦＣＣ（Mel-Frequency Cepstrum Coefficient)が好適である。楽器の種類Ａ［ｎ］の特定には、特願２０１５−１９１０２６および特願２０１５−１９１９２８に記載された技術が採用される。例えば、例えばＳＶＭ（Support Vector Machine）等のパターン認識アルゴリズムが種類Ａ［ｎ］の特定に利用され得る。
【００２０】
調整部３４は、特定部３２が特定した楽器の種類Ａ［ｎ］に応じて複数の音響信号ｘ［ｎ］を調整することで音響信号ｚを生成する。第１実施形態の調整部３４は、相異なる音響信号ｘ［ｎ］に対応する複数（Ｎ個）の第１処理部３４１［ｎ］と、混合部３４３とを具備する。第１処理部３４１［ｎ］は、図２に例示される通り、特定部３２が特定した楽器の種類Ａ［ｎ］に対応する目標特性Ｒ（点線）に音響信号ｘ［ｎ］の周波数特性Ｘ［ｎ］（実線）を近付ける第１処理を、音響信号ｘ［ｎ］に対して実行する。
【００２１】
図３は、任意の１個の第１処理部３４１［ｎ］の構成図である。第１処理部３４１［ｎ］は、周波数解析部４０と特性付与部５０と波形生成部６０とを具備し、音響信号ｘ［ｎ］（第１音響信号の例示）に対して第１処理を実行することで音響信号ｙ［ｎ］（第２音響信号の例示）を生成する。つまり、音響信号ｙ［ｎ］は、楽器の種類Ａ［ｎ］に対応する目標特性Ｒに近い音響特性を有する。
【００２２】
図３の周波数解析部４０は、信号供給装置１２［ｎ］から供給される音響信号ｘ［ｎ］を解析することで、音響信号ｘ［ｎ］の周波数特性（周波数スペクトル）Ｘ［ｎ］を時間軸上の単位区間（フレーム）毎に順次に生成する。周波数特性Ｘ［ｎ］の算定には、短時間フーリエ変換等の公知の周波数解析が任意に採用され得る。なお、通過帯域が相違する複数の帯域通過フィルタの系列（フィルタバンク）を周波数解析部４０として利用することも可能である。
【００２３】
特性付与部５０は、音響信号ｘ［ｎ］の周波数特性Ｘ［ｎ］を、特定部３２が特定した楽器の種類Ａ［ｎ］に対応する目標特性Ｒに近付けることで、音響信号ｙ［ｎ］の周波数特性（周波数スペクトル）Ｙ［ｎ］を単位区間毎に順次に生成する。
【００２４】
図４は、特性付与部５０の処理の説明図である。具体的には、特性付与部５０は、図４に例示される通り、特性が相違する複数の帯域通過フィルタにより音響信号ｘ［ｎ］の周波数特性Ｘ［ｎ］を目標特性Ｒに近付けるイコライジング処理を第１処理として実行する。各帯域通過フィルタの特性は、周波数ポイント（例えば中心周波数）、ゲインおよびＱ値等のパラメータで規定される。特性付与部５０は、周波数特性Ｘ［ｎ］が目標特性Ｒに近づくように複数の帯域通過フィルタの各々のパラメータを計算したうえで周波数特性Ｘに各帯域通過フィルタを作用させることで音響信号ｙ［ｎ］の周波数特性Ｙ［ｎ］を生成する。なお、帯域通過フィルタの総数は任意である。総数を多くすれば音響信号ｘ［ｎ］を調整する能力は向上するが、調整部３４（特性付与部５０）の処理負荷、ひいては音響処理装置１００全体の処理負荷が大きくなるため、第１実施形態では４つとしている。帯域通過フィルタの総数を可変に制御することも可能である。
【００２５】
図３の波形生成部６０は、特性付与部５０が単位区間毎に生成した周波数特性Ｙ［ｎ］から時間領域の音響信号ｙ［ｎ］を生成する。音響信号ｙ［ｎ］の生成には短時間逆フーリエ変換が好適に利用される。
【００２６】
図１の混合部３４３は、各第１処理部３４１［ｎ］（波形生成部６０）が生成した音響信号ｙ［ｎ］を混合することで音響信号ｚを生成する。すなわち、相異なる種類のＮ個の楽器１０［１］〜１０［Ｎ］の演奏音の混合音を表す音響信号ｚが生成される。放音装置１４は、音響信号ｚに応じた音響、つまり楽器１０［１］〜１０［Ｎ］の演奏音に応じた音響を放音する。
【００２７】
図５は、音響処理装置１００全体の処理のフローチャートである。演奏者による楽器（例えばバスドラム）の演奏開始を契機として、図５の処理が開始される。第１処理部３４１［ｎ］は、バスドラムの演奏音を収音して生成された音響信号ｘ［ｎ］を取得する（ＳA1）。特定部３２は、複数の音響信号ｘ［１］〜ｘ［Ｎ］の各々について、音響信号ｘ［ｎ］が表す演奏音に対応する楽器の種類Ａ［ｎ］を特定する（ＳA2）。例えば、楽器１０［２］が生成した音響信号ｘ［２］の解析で「バスドラム」という種類が特定され、楽器１０［３］が生成した音響信号ｘ［３］の解析で「ベース」という種類が特定される。第１処理部３４１［ｎ］（周波数解析部４０）は、音響信号ｘ［ｎ］の解析により、相異なる周波数（周波数帯域）に対応する複数の周波数特性（周波数スペクトル）Ｘ［ｎ］を時間軸上の単位区間（フレーム）毎に順次に生成する（ＳA3）。第１処理部３４１［ｎ］（特性付与部５０）は、音響信号ｘ［ｎ］の各周波数特性Ｘ［ｎ］を特定部３２が特定した楽器の種類Ａ［ｎ］（バスドラム）に対応する目標特性Ｒに近付ける第１処理を実行することで、音響信号ｙ［ｎ］の各周波数の周波数特性（周波数スペクトル）Ｙ［ｎ］を単位区間毎に順次に生成する（Ｓ4）。第１処理部３４１［ｎ］（波形生成部６０）は、特性付与部５０が生成した各周波数特性Ｙ［ｎ］から時間領域の音響信号ｙ［ｎ］を生成する（ＳA5）。つまり、楽器の種類Ａ［ｎ］（バスドラム）の目標特性Ｒが表す周波数特性に近い周波数特性を持つ音響信号ｙ［ｎ］が生成される。調整部３４（混合部３４３）は、各第１処理部３４１［ｎ］の各々が生成した音響信号ｙ［ｎ］を混合することで音響信号ｚを生成する（ＳA6）。放音装置１４は、音響信号ｚに応じた音響、つまり楽器１０［１］〜１０［Ｎ］の演奏音に応じた音響を放音する（ＳA7）。
【００２８】
以上の説明から理解される通り、特定部３２が特定した楽器の種類Ａ［ｎ］に応じて音響信号ｘ［ｎ］が調整される。したがって、音響信号ｘ［ｎ］に対する調整内容を利用者が指示する構成と比較して、調整内容や音響特性に関する専門的な知識を必要とせずに、音響信号ｘ［ｎ］を適切に調整することが可能である。また、第１実施形態では特に、音響信号ｘ［ｎ］の周波数特性Ｘ［ｎ］が目標特性Ｒに近付くように（両者間の相違に応じて）各帯域通過フィルタの特性を制御する。したがって、音響信号ｘ［ｎ］を処理するフィルタの特性が固定された構成（音響信号ｘ［ｎ］の周波数特性Ｘ［ｎ］に依存しない構成）と比較して、音響信号ｘ［ｎ］が既に目標特性Ｒに近い場合は、音響信号ｘ［ｎ］を調整する度合が小さくなる。つまり、本来の音響信号ｘ［ｎ］の周波数特性Ｘ［ｎ］を生かしつつ目標特性Ｒに音響信号ｘ［ｎ］を近付けることが可能である。
【００２９】
＜第２実施形態＞
本発明の第２実施形態について説明する。なお、以下に例示する各形態において作用や機能が第１実施形態と同様である要素については、第１実施形態の説明で使用した符号を流用して各々の詳細な説明を適宜に省略する。
【００３０】
図６は、第２実施形態に係る音響処理装置１００の構成図である。第２実施形態の調整部３４は、第１実施形態と同様の複数（Ｎ個）の第１処理部３４１［１］〜３４１［Ｎ］および混合部３４３に第２処理部３４５を追加した構成である。第１処理部３４１［ｎ］は、第１実施形態と同様に、音響信号ｘ［ｎ］に対する第１処理で音響信号ｙ［ｎ］を生成する。第２処理部３４５は、各第１処理部３４１［ｎ］による処理後の音響信号ｙ［ｎ］から音響信号ｗ［ｎ］（ｗ［１］〜ｗ［Ｎ］）を生成する。混合部３４３は、第２処理部３４５による処理後の複数の音響信号ｗ［ｎ］（ｗ［１］〜ｗ［Ｎ］）を混合することで音響信号ｚを生成する。
【００３１】
第２実施形態の記憶装置２４は、目標特性Ｒと帯域情報Ｔと優先度情報Ｐ1とを記憶する。目標特性Ｒは、第１実施形態と同様である。図７は、帯域情報Ｔの説明図である。帯域情報Ｔは、種類Ａ［ｎ］の楽器の演奏音が優勢に含む音響成分の周波数帯域（以下「発音帯域」という）を指定する。具体的には、帯域情報Ｔは、図７に例示される通り、「低域」「中域」「高域」の何れかを発音帯域として指定する。例えば、楽器の種類Ａ［ｎ］が「ベース」の場合、「ベース」に対応する発音帯域は「低域」である。
【００３２】
図８は、優先度情報Ｐ1の説明図である。優先度情報Ｐ1は、周波数軸上の複数の帯域Ｂ1〜ＢMの各々について楽器の種類毎に優先度を指定する。具体的には、優先度情報Ｐ1は、図８に例示される通り、例えば整数で優先度を指定する。例えば、帯域Ｂ1では優先度は「キーボード＝１，バスドラム＝３，ベース＝４，ギター＝２，…」と指定されているので、「…＞ベース＞バスドラム＞ギター＞キーボード…」の順で優先度は高い。なお、各帯域Ｂ1〜ＢMの帯域幅や総数は任意である。例えば、複数の帯域Ｂ1〜ＢMを３つの帯域Ｂ1〜Ｂ3とし、各帯域Ｂ1〜Ｂ3を帯域情報Ｔで示す各発音帯域「低域」「中域」「高域」に対応させることも可能である。
【００３３】
第２処理部３４５は、複数の音響信号ｙ［１］〜ｙ［Ｎ］のうち、特定部３２が特定した楽器の種類Ａ［ｎ］に対応する発音帯域が重なる音響信号ｙ［ｎ1］（第１音響信号の例示）と音響信号ｙ［ｎ2］（第２音響信号の例示）（ｎ1≠ｎ2）とについて、音響信号ｙ［ｎ1］および音響信号ｙ［ｎ2］の一方の音響成分を他方に対して相対的に抑制する第２処理を、音響信号ｙ［ｎ1］または音響信号ｙ［ｎ2］に対して実行することで、音響信号ｗ［ｎ1］または音響信号ｗ［ｎ2］を生成する。
【００３４】
図９は、第２処理部３４５の構成図である。第２処理部３４５は、周波数解析部７０と抑制部８０と波形生成部９０とを具備する。周波数解析部７０は、各第１処理部３４１［ｎ］が生成した音響信号ｙ［ｎ］を解析することで、周波数解析部４０が周波数特性Ｘ［ｎ］を生成するのと同様に、音響信号ｙ［ｎ］の周波数特性Ｙ［ｎ］を時間軸上の単位区間毎に順次に生成する。なお、各第１処理部３４１［ｎ］の特性付与部５０が生成した周波数特性Ｙ［ｎ］を抑制部８０に供給すること（したがって、各第１処理部３４１［ｎ］の波形生成部６０と第２処理部３４５の周波数解析部７０とは省略される）も可能である。
【００３５】
抑制部８０は、特定部３２が特定した楽器の種類Ａ［ｎ］に対応する発音帯域が音響信号ｙ［ｎ1］と音響信号ｙ［ｎ2］との間で重なる場合（例えば双方とも「低域」である場合）に、音響信号ｙ［ｎ1］または音響信号ｙ［ｎ2］に対して第２処理を実行することで、音響信号ｗ［ｎ1］の周波数特性Ｗ［ｎ1］または音響信号ｗ［ｎ2］の周波数特性Ｗ［ｎ2］とを単位区間毎に順次に生成する。第２実施形態では、発音帯域が相互に重なる音響信号ｙ［ｎ1］および音響信号ｙ［ｎ2］のうちの一方である音響信号ｙ［ｎ1］に対して第２処理を実行することで、音響信号ｗ［ｎ1］の周波数特性Ｗ［ｎ1］を生成する構成を例示する。音響信号ｙ［ｎ2］と、発音帯域が他の楽器と重複しない楽器の各音響信号ｙ［ｎ］とは、そのまま音響信号ｗ［ｎ］として第２処理部３４５から混合部３４３に供給される。
【００３６】
具体的には、抑制部８０は、発音帯域が相互に重なる音響信号ｙ［ｎ1］および音響信号ｙ［ｎ2］のうち、優先度が低い楽器の種類に対応する音響成分を優先度が高い楽器の種類に対応する音響成分に対して相対的に抑制するための第２処理を、音響信号ｙ［ｎ1］の周波数特性Ｙ［ｎ1］に対して帯域Ｂ1〜ＢMの各々について行う。第２処理のうち、音響信号ｙ［ｎ1］の周波数特性Ｙ［ｎ1］を調整する処理には、公知の技術が任意に採用され得る。例えば、帯域Ｂ1〜ＢM毎に周波数特性Ｙ［ｎ1］のゲインを特性が相違する複数の帯域通過フィルタにより調整するイコライジング処理である。
【００３７】
発音帯域が他の楽器と重複する音響信号ｙ［ｎ1］の周波数特性Ｙ［ｎ1］に対する第２処理で生成された周波数特性Ｗ［ｎ1］が波形生成部９０に出力されるとともに、それ以外の音響信号ｙ［ｎ］の周波数特性Ｙ［ｎ］が周波数特性Ｗ［ｎ］として波形生成部９０に出力される。波形生成部９０は、抑制部８０が単位区間毎に生成した周波数特性Ｗ［ｎ］から時間領域の音響信号ｗ［ｎ］を生成する。音響信号ｗ［ｎ］の生成には短時間逆フーリエ変換が好適に利用される。
【００３８】
図１０は、第２処理の説明図である。音響信号ｙ［ｎ1］と音響信号ｙ［ｎ2］とで発音帯域が重なる場合（つまり、楽器の種類Ａ［ｎ1］の帯域情報Ｔ［ｎ1］と楽器の種類Ａ［ｎ2］の帯域情報Ｔ［ｎ2］とが同じ場合）、抑制部８０は、優先度情報Ｐ1を参照して第２処理を行う。第２処理は、図１０に例示される通り、音響信号ｙ［ｎ1］の各帯域Ｂ1〜ＢMの音響成分を、音響信号ｙ［ｎ1］の優先度と音響信号ｙ［ｎ2］の優先度との高低に応じて抑制または強調する処理である。具体的には、楽器の種類Ａ［ｎ1］の優先度が楽器の種類Ａ［ｎ2］の優先度を下回る帯域Ｂ1では、周波数特性Ｙ［ｎ1］の調整により音響信号ｙ［ｎ1］の音響成分が抑制される。他方、楽器の種類Ａ［ｎ1］の優先度が楽器の種類Ａ［ｎ2］の優先度を上回る帯域Ｂ2および帯域Ｂ3では、周波数特性Ｙ［ｎ1］の調整により音響信号ｙ［ｎ1］の音響成分が強調される。つまり、周波数特性Ｙ［ｎ2］を周波数特性Ｙ［ｎ1］に対して抑制している。すなわち、音響成分（周波数特性）の相対的な抑制とは、一方の音響成分を他方の音響成分に対して抑制する場合と、他方の音響成分を一方の音響成分に対して強調する場合との双方を含む。
【００３９】
以上の説明から理解される通り、楽器の種類Ａ［ｎ1］と楽器の種類Ａ［ｎ2］との間で発音帯域が重なる場合でも、楽器の種類Ａ［ｎ1］に対応し第２処理により周波数特性Ｙ［ｎ1］から生成された周波数特性Ｗ［ｎ1］および楽器の種類Ａ［ｎ2］に対応する周波数特性Ｙ［ｎ2］の一方における周波数特性は、他方に対して相対的に抑制される。周波数特性Ｙ［ｎ1］のピークと周波数特性Ｙ［ｎ2］のピークとは、第２処理の実行前には周波数軸上で相互に近接した位置にあるが、第２処理の結果、両者のピークは周波数軸上で相互にずれた位置に移動する。
【００４０】
図６の混合部３４３は、第２処理部３４５（抑制部８０）が生成した複数の音響信号ｗ［ｎ］を混合することで音響信号ｚを生成する。すなわち、相異なる種類のＮ個の楽器１０［１］〜１０［Ｎ］の演奏音の混合音を表す音響信号ｚが生成される。放音装置１４は、音響信号ｚに応じた音響、つまり楽器１０［１］〜１０［Ｎ］の演奏音に応じた音響を放音する。
【００４１】
図１１は、第２実施形態における音響処理装置１００全体の処理のフローチャートである。各演奏者による楽器（例えばバスドラムとベースとを含む）の演奏開始を契機として、図１１の処理が開始される。第１処理部３４１［ｎ］による音響信号ｘ［ｎ］を取得する処理（ＳA1）から音響信号ｙ［ｎ］を生成する処理（ＳA5）までは第１実施形態と同様である。楽器の種類Ａ［ｎ］を特定する処理（ＳA2）では、例えば、楽器１０［２］が生成した音響信号ｘ［２］の解析から「バスドラム」という種類が特定され、楽器１０［３］が生成した音響信号ｘ［３］の解析から「ベース」という種類が特定される。なお、種類Ａ［２］が示す楽器「バスドラム」の発音帯域と種類Ａ［３］が示す楽器「ベース」の発音帯域とは双方とも「低域」であり、その他の複数の種類Ａ［ｎ］が示す楽器の中には、同じ発音帯域の楽器は含まれないものとする。
【００４２】
第２処理部３４５（周波数解析部７０）は、第１処理部３４１［ｎ］が生成した各音響信号ｙ［ｎ］の周波数特性Ｙ［ｎ］を単位区間毎に順次に生成する（ＳB1）。第２処理部３４５（抑制部８０）は、発音帯域が同じ楽器の種類Ａ［２］および種類Ａ［３］の一方の種類Ａ［２］に対応する周波数特性Ｙ［２］に対して、優先度情報Ｐ1を参照して第２処理を実行することで周波数特性Ｗ［２］を単位区間毎に順次に生成するとともに、周波数特性Ｙ［３］および発音帯域が他の楽器と重複しない楽器の音響信号ｙ［ｎ］の周波数特性Ｙ［ｎ］を、そのまま周波数特性Ｗ［ｎ］として出力する（ＳB2）。したがって、種類Ａ［２］が示す楽器「バスドラム」と種類Ａ［３］が示す楽器「ベース」との間で発音帯域が重なる場合でも、種類Ａ［２］（バスドラム）に対応する周波数特性Ｗ［２］と種類Ａ［３］（ベース）に対応する周波数特性Ｙ［３］との一方が他方に対して相対的に抑制される。第２処理部３４５（波形生成部９０）は、抑制部８０が生成した周波数特性Ｗ［ｎ］から時間領域の音響信号ｗ［ｎ］を生成する（ＳB3）。調整部３４（混合部３４３）は、第２処理部３４５が生成した複数の音響信号ｗ［ｎ］を混合することで音響信号ｚを生成する（ＳA6）。放音装置１４は、音響信号ｚに応じた音響、つまり楽器１０［１］〜１０［Ｎ］の演奏音に応じた音響を放音する（ＳA7）。なお、発音帯域が同じ楽器（バスドラムおよびベース）以外の楽器を示す種類Ａ［ｎ］に対応する音響信号ｙ［ｎ］については、ステップＳB1〜ＳB3の処理を省略して、そのまま音響信号ｗ［ｎ］として供給することも可能である（ＳA6）。
【００４３】
第２実施形態においても第１実施形態と同様の効果が実現される。第２実施形態では特に、特定部３２が特定した楽器の種類に対応する周波数帯域が音響信号ｙ［ｎ1］と音響信号ｙ［ｎ2］との間で重なる場合に、音響信号ｙ［ｎ1］および音響信号ｙ［ｎ2］の一方における当該周波数帯域の音響成分が他方に対して相対的に抑制されるように音響信号ｗ［ｎ1］が生成される。したがって、相対的に抑制された音響成分に対応する演奏音に対して他方の音響成分に対応する演奏音が聞き取りやすくなるという利点がある。また、優先度情報Ｐ1を参照して第２処理を行っているので、音響信号ｙ［ｎ1］の調整、すなわち音響信号ｗ［ｎ1］の生成を適切に行うことが可能である。
【００４４】
＜第３実施形態＞
図１２は、第２実施形態に係る音響処理装置１００の構成図である。第３実施形態の調整部３４は、第１実施形態と同様の複数（Ｎ個）の第１処理部３４１［１］〜３４１［Ｎ］および混合部３４３に第３処理部３４７を追加した構成である。第１処理部３４１［ｎ］は、第１実施形態と同様に、音響信号ｘ［ｎ］に対する第１処理で音響信号ｙ［ｎ］を生成する。第３処理部３４７は、各第１処理部３４１［ｎ］による処理後の音響信号ｙ［ｎ］から音響信号ｖ［ｎ］（ｖ［１］〜ｖ［Ｎ］）を生成する。混合部３４３は、第３処理部３４７による処理後の複数の音響信号ｖ［ｎ］（ｖ［１］〜ｖ［Ｎ］）を混合することで音響信号ｚを生成する。
【００４５】
第３実施形態の記憶装置２４は、目標特性Ｒと帯域情報Ｔと優先度情報Ｐ2とを記憶する。目標特性Ｒは、第１実施形態と同様であり、帯域情報Ｔは、第２実施形態と同様である。図１３は、優先度情報Ｐ2の説明図である。優先度情報Ｐ2は、図１３に例示される通り、帯域情報Ｔが示す複数の発音帯域（具体的には「低域」「中域」「高域」）の各々について楽器の種類Ａ［ｎ］毎に優先度を指定する。具体的には、優先度情報Ｐ2は、第２実施形態の優先度情報Ｐ1の場合と同様に、例えば整数で優先度を指定する。
【００４６】
第３処理部３４７は、複数の音響信号ｙ［１］〜ｙ［Ｎ］のうち、特定部３２が特定した楽器の種類Ａ［ｎ］に対応する発音帯域が重なる（例えば双方とも「低域」である）音響信号ｙ［ｎ1］（第１音響信号の例示）と音響信号ｙ［ｎ2］（第２音響信号の例示）（ｎ1≠ｎ2）とについて、音響信号ｙ［ｎ1］および音響信号ｙ［ｎ2］の一方において時間軸上で他方と重なる音響成分を相対的に抑制する第３処理を実行することで、音響信号ｖ［ｎ1］または音響信号ｖ［ｎ2］を生成する。
【００４７】
具体的には、第３処理部３４７は、優先度が低い楽器の種類に対応する音響信号を優先度が高い楽器の種類に対応する音響信号に対して相対的に抑制するための第３処理を、音響信号ｙ［ｎ1］または音響信号ｙ［ｎ2］に対して優先度情報Ｐ2を参照して行う。第３実施形態では、音響信号ｙ［ｎ1］および音響信号ｙ［ｎ2］のうち、優先度情報Ｐ2が示す優先度が低い音響信号を第３処理の対象として抑制する。音響信号ｙ［ｎ］の優先度の高低は、例えば、音響信号ｙ［ｎ1］に対応する種類Ａ［ｎ1］の発音帯域と音響信号ｙ［ｎ2］に対応する種類Ａ［ｎ2］の発音帯域とが「低域」で同じ場合、図１３の優先度情報Ｐ2の発音帯域「低域」での種類Ａ［ｎ1］と種類Ａ［ｎ2］との各々が表す優先度を参照する。第３実施形態では、優先度が低い音響信号ｙ［ｎ1］に対して第３処理を実行することで、音響信号ｖ［ｎ1］を生成する構成を例示する。なお、音響信号ｙ［ｎ2］と、発音帯域が他の楽器と重複しない楽器の各音響信号ｙ［ｎ］とは、そのまま音響信号ｖ［ｎ］として混合部３４３に供給される。
【００４８】
図１４は、第３処理の説明図である。第３処理は、上述した通り、音響信号ｙ［ｎ1］および音響信号ｙ［ｎ2］の一方において時間軸上で他方と重なる音響信号ｙ［ｎ1］を相対的に抑制する処理である。音響信号ｙ［ｎ1］および音響信号ｙ［ｎ2］の一方において時間軸上で他方と重なる場合とは、図１４に例示される通り、音響信号ｙ［ｎ1］の時間波形のピークと音響信号ｙ［ｎ2］の時間波形のピークとが時間軸上で相互に重なる場合である。ピークが重なる場合とは、例えば双方のピークが時間軸上で一致している場合のほか、時間軸上で所定の期間内に双方のピークが位置している場合を包含する。時間波形のピークが相互に重なる場合には、音響信号ｙ［ｎ1］が表す演奏音と音響信号ｙ［ｎ2］が表す演奏音とが同時に発音されており、受聴者が双方の演奏音を聴取し難いという傾向がある。以上の説明から理解される通り、第３処理は、音響信号ｙ［ｎ1］に対応する種類Ａ［ｎ1］の発音帯域と音響信号ｙ［ｎ2］に対応する種類Ａ［ｎ2］の発音帯域とが同じで、かつ、音響信号ｙ［ｎ1］の時間波形のピークと音響信号ｙ［ｎ2］の時間波形のピークとが時間軸上で重なる場合に実行される。
【００４９】
音響信号ｙ［ｎ1］を抑制する第３処理には、公知の技術が任意に採用され得る。例えば、音響信号ｙ［ｎ1］の信号レベルを圧縮させるコンプレッサ処理が第３処理の好例である。図１４に例示される通り、音響信号ｙ［ｎ1］の信号レベルが閾値Ｚを上回る部分を圧縮することで、音響信号ｙ［ｎ2］に対して音響信号ｙ［ｎ1］の音響成分を相対的に抑制する。閾値Ｚは、実験的または統計的に選定される。なお、音響信号ｙ［ｎ1］の信号レベルが閾値Ｚを下回る区間については、音響信号ｙ［ｎ1］が音響信号ｖ［ｎ1］として混合部３４３に供給される。
【００５０】
以上の説明から理解される通り、楽器の種類Ａ［ｎ1］と楽器の種類Ａ［ｎ2］との間で発音帯域が重なる場合でも、音響信号ｙ［ｎ2］と時間軸上で重なる音響信号ｙ［ｎ1］は、音響信号ｙ［ｎ2］に対して相対的に抑制される。第３処理部３４７は、音響信号ｙ［ｎ1］に対してコンプレッサ処理（第３処理）を行うことで、図１４に例示される通り、音響信号ｙ［ｎ1］において閾値を上回る音響成分を圧縮した音響信号ｖ［ｎ1］を生成する。
【００５１】
図１２の混合部３４３は、第３処理部３４７が生成した複数の音響信号ｗ［ｎ］を混合することで音響信号ｚを生成する。すなわち、相異なる種類のＮ個の楽器１０［１］〜１０［Ｎ］の演奏音の混合音を表す音響信号ｚが生成される。放音装置１４は、音響信号ｚに応じた音響、つまり楽器１０［１］〜１０［Ｎ］の演奏音に応じた音響を放音する。
【００５２】
図１５は、第３実施形態における音響処理装置１００全体の処理のフローチャートである。各演奏者による楽器（例えばバスドラムとベースとを含む）の演奏開始を契機として、図１５の処理が開始される。第１処理部３４１［ｎ］による音響信号ｘ［ｎ］を取得する処理（ＳA1）から音響信号ｙ［ｎ］を生成する処理（ＳA5）までは第１実施形態と同様である。楽器の種類Ａ［ｎ］を特定する処理（ＳA2）では、例えば、楽器１０［２］が生成した音響信号ｘ［２］の解析から「バスドラム」という種類が特定され、楽器１０［３］が生成した音響信号ｘ［３］の解析から「ベース」という種類が特定される。なお、種類Ａ［２］が示す楽器「バスドラム」の発音帯域と種類Ａ［３］が示す楽器「ベース」の発音帯域とは双方とも「低域」であり、優先度情報Ｐ2が示す「低域」における優先度は、種類Ａ［３］が示す「ベース」の優先度が種類Ａ［２］が示す「バスドラム」の優先度を上回る。その他の複数の種類Ａ［ｎ］が示す楽器の中には、同じ発音帯域の楽器は含まれないものとする。
【００５３】
第３処理部３４７は、発音帯域が同じ楽器の種類Ａ［２］および種類Ａ［３］の一方の種類Ａ［２］に対応する音響信号ｙ［２］に対して、第３処理を実行することで音響信号ｖ［２］を生成するとともに、音響信号ｙ［３］および発音帯域が他の楽器と重複しない楽器の音響信号ｙ［ｎ］を、そのまま音響信号ｖ［ｎ］として出力する（ＳC1）。したがって、種類Ａ［２］が示す楽器「バスドラム」と種類Ａ［３］が示す楽器「ベース」との間で発音帯域が重なる場合でも、音響信号ｙ［３］と時間軸上で重なる音響信号ｙ［２］は、音響信号ｙ［３］に対して相対的に抑制される。調整部３４（混合部３４３）は、第３処理部３４７が生成した複数の音響信号ｗ［ｎ］を混合することで音響信号ｚを生成する（ＳA6）。放音装置１４は、音響信号ｚに応じた音響、つまり楽器１０［１］〜１０［Ｎ］の演奏音に応じた音響を放音する（ＳA7）。
【００５４】
第３実施形態においても第１実施形態と同様の効果が実現される。第３実施形態では特に、特定部３２が特定した楽器の種類Ａ［ｎ］に対応する周波数帯域が音響信号ｙ［ｎ1］と音響信号ｙ［ｎ2］との間で重なる場合に、音響信号ｙ［ｎ2］と時間軸上で重なる音響信号ｙ［ｎ1］の音響成分が相対的に抑制される。したがって、相対的に抑制された音響成分を含む音響信号ｙ［ｎ1］に対応する演奏音に対して他方の音響成分を含む音響信号ｙ［ｎ2］に対応する演奏音が聞き取りやすくなるという利点がある。また、優先度情報Ｐ2を参照して第３処理を行っているので、音響信号ｙ［ｎ1］の調整、すなわち音響信号ｖ［ｎ1］の生成を適切に行うことが可能である。
【００５５】
＜変形例＞
以上に例示した各形態は多様に変形され得る。具体的な変形の態様を以下に例示する。以下の例示から任意に選択された２以上の態様を適宜に併合することも可能である。
【００５６】
（１）前述の各形態では、楽器１０［ｎ］に対応する音響信号ｘ［ｎ］を解析することで楽器の種類Ａ［ｎ］を特定したが、楽器の種類Ａ［ｎ］の特定方法は音響信号ｘ［ｎ］の解析に限定されない。例えば、特定部３２は、利用者が入力装置を使用して楽器を指示する操作（例えば複数の候補から楽器を選択する操作）を検知し、当該操作で指示された楽器の種類Ａ[ｎ]を特定する。この場合、特定部３２は、音響処理装置１００に対して楽器の種類Ａ［ｎ］を特定する指示ができて利用者が操作する操作機器である。なお、音響信号ｘ［ｎ］の解析により楽器の種類Ａ［ｎ］を特定する前述の各形態によれば、利用者の指示により直接的に楽器の種類Ａ［ｎ］を特定する構成と比較して、利用者の負担を軽減することが可能である。また、利用者が演奏音に対応する楽器の種類を認識していないときでも、楽器の種類Ａ［ｎ］を特定することができるという利点がある。
【００５７】
（２）前述の各形態では、特定部３２が特定した楽器の種類に応じた処理として第１処理、第２処理および第３処理を例示したが、調整部３４が音響信号を調整する処理は以上の例示に限定されない。すなわち、特定部３２が特定した楽器の種類Ａ［ｎ］に対応して音響信号を調整する処理であれば処理の内容は任意である。したがって、例えば、調整部３４が第１処理の後に第２処理と第３処理との双方の処理を行う構成や第２処理と第３処理との各々を単独で行う構成も可能である。
【００５８】
（３）前述の各形態では、楽器名を楽器の種類とする構成を例示したが、楽器の種類は楽器名に限定されない。楽器の種類は音響信号が表す演奏音がどのような音響であるかを示した情報であればその内容は任意であり、例えば、調波性の有無や発音帯域（（「低域」、「中域」または「高域」の何れか）を示す情報を楽器の種類とすることも可能である。
【００５９】
（４）前述の各形態では、特定部３２が特定した楽器の種類Ａ［ｎ］に応じて音響信号ｘ［ｎ］を調整する構成を例示したが、音響信号ｘ［ｎ］の調整に楽器の種類Ａ［ｎ］の信頼度を加味することも可能である。信頼度は、特定部３２が特定した楽器の種類Ａ［ｎ］の確度（識別結果の精度）である。例えば、相異なる楽器の種類について事前に用意された複数の特徴量の各々について音響信号ｘ［ｎ］の特徴量との類似度（例えば距離または相関）を算定し、類似度が高い（距離が小さいまたは相関が大きい）楽器の種類Ａ［ｎ］を音響信号ｘ［ｎ］について特定する構成では、特定部３２は、類似度に応じて識別結果の信頼度を設定する。例えば、類似度を信頼度として使用する構成や、類似度を適用した所定の演算で信頼度を算定する構成が例示される。
【００６０】
調整部３４は、特定部３２が特定した楽器の種類Ａ［ｎ］の信頼度によって音響信号ｘ［ｎ］の調整の度合を制御する。例えば、音響信号ｘ［ｎ］について特定された種類Ａ［ｎ］の信頼度が高いほど、当該音響信号ｘ［ｎ］に対する調整の度合が増加する（あるいは信頼度が低いほど調整の度合が減少する）ように、調整部３４は音響信号ｘ［ｎ］の調整の度合を制御する。以上の構成では、楽器の種類Ａ［ｎ］を特定した結果の信頼度に応じて音響信号ｘ［ｎ］の調整が抑制される。したがって、例えば、楽器の種類Ａ［ｎ］の信頼度が高い場合にはその楽器に好適な音響特性の付加を優先させる一方、楽器の種類Ａ［ｎ］の信頼度が低い場合（種類Ａ［ｎ］の特定結果が過誤である可能性が想定される場合）には、その楽器について用意された音響特性が音響信号ｘ［ｎ］について妥当であるとは限らないから当該音響特性の付加を抑制する、というように、楽器の種類Ａ［ｎ］の特定結果に応じた適切な調整を実現することが可能である。また、第２実施形態と第３実施形態でも同様に、音響信号ｘ［ｎ］に加えて音響信号ｙ［ｎ］の調整に信頼度を加味することも可能である。
【００６１】
（５）第２実施形態では、発音帯域が相互に重なる音響信号ｙ［ｎ1］および音響信号ｙ［ｎ2］のうちの一方である音響信号ｙ［ｎ1］に対して第２処理を行ったが、第２処理の対象は音響信号ｙ［ｎ1］に限定されない。例えば、音響信号ｙ［ｎ2］に対して第２処理を行うことや音響信号ｙ［ｎ1］と音響信号ｙ［ｎ2］との双方に対して第２処理を行うことも可能である。また、帯域Ｂ1〜Ｂ3ごとに第２処理を行う周波数特性を変えることも可能である。以上の説明から理解される通り、優先度が低い楽器の種類に対応する音響成分を優先度が高い楽器の種類に対応する音響成分に対して相対的に抑制するための処理であれば、第２処理の対象は任意である。第３実施形態でも同様に、第３処理の対象は任意である。
【００６２】
また、第２実施形態および第３実施形態において、音響信号ｙ［ｎ1］および音響信号ｙ［ｎ2］の一方の音響成分Ａを他方の音響成分Ｂに対して相対的に抑制する処理には、音響成分Ａを音響成分Ｂに対して抑制する処理のほか、音響成分Ｂを音響成分Ａに対して強調する処理も包含される。
【００６３】
（６）第２実施形態および第３実施形態において、音響信号ｙ［ｎ1］の周波数帯域と音響信号ｙ［ｎ2］の周波数帯域とが重なる場合に第２処理（第３実施形態では第３処理）を行う構成を例示したが、３つ以上の音響信号ｙ［ｎ］の周波数帯域が重なる場合においても同様に第２処理（第３実施形態では第３処理）を行う。
【００６４】
（７）前述の各形態で例示した音響処理装置１００は、前述の通り演算処理装置２２とプログラムとの協働により好適に実現される。具体的には、本発明の好適な態様に係るプログラムは、コンピュータを、音響信号が表す演奏音に対応する楽器の種類Ａ［ｎ］を特定する特定部３２、および、特定部３２が特定した楽器の種類Ａ［ｎ］に応じて音響信号を調整する調整部３４として機能させる。このプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。
【００６５】
また、前述の各形態に係る音響処理装置１００の動作方法（音響処理方法）としても本発明は特定される。本発明の好適な態様に係る音響処理方法は、コンピュータ（単体のコンピュータまたは複数のコンピュータで構成されるコンピュータシステム）が、音響信号が表す演奏音に対応する楽器の種類Ａ［ｎ］を特定し、特定した楽器の種類Ａ［ｎ］に応じて音響信号を調整する。
【符号の説明】
【００６６】
１０……楽器、１００…音響処理装置、１２……信号供給装置、１４……放音装置、２２……演算処理装置、２４……記憶装置、３２……特定部、３４……調整部、４０……周波数解析部、５０……特性付与部、６０……波形生成部、７０……周波数解析部、８０……抑制部、９０……波形生成部、３４１……第１処理部、３４３……混合部、３４５……第２処理部、３４７……第３処理部。
【図１】
2017139592.tif 000003
【図２】
2017139592.tif 000004
【図３】
2017139592.tif 000005
【図４】
2017139592.tif 000006
【図５】
2017139592.tif 000007
【図６】
2017139592.tif 000008
【図７】
2017139592.tif 000009
【図８】
2017139592.tif 000010
【図９】
2017139592.tif 000011
【図１０】
2017139592.tif 000012
【図１１】
2017139592.tif 000013
【図１２】
2017139592.tif 000014
【図１３】
2017139592.tif 000015
【図１４】
2017139592.tif 000016
【図１５】
2017139592.tif 000017